(57)【要約】キーボードのキー用キーモジュールのためキーリフタ（140）を提案する。この場合キーリフタ（140）は、キーのキーボタンを連結する連結部（150）と、キーリフタ（140）の作動時に、キーリフタ（140）をキーモジュールの受容部内で導くガイド部（160）と、を備える。ガイド部（160）は、キーリフタ（140）の作動時にキーモジュールの受容部内で摺動する、少なくとも１つの摺動部（262）を備える。この場合、キーリフタ（140）の脱型のための、キーリフタ（140）の脱型隆起部は、少なくとも１つの摺動部（262）の外側に配置される。【選択図】図２Ａ
2016520242.tif 000002
【特許請求の範囲】
【請求項１】
キーボードのキー用キーモジュール（100）のためのキーリフタ（140）であって、キーのキーボタンを連結する連結部（150）と、前記キーリフタ（140）の作動時に、前記キーリフタ（140）を前記キーモジュール（100）の受容部（130）内で導くガイド部（160）と、を備えるキーリフタ（140）において、前記ガイド部（160）は、前記キーリフタ（140）の作動時に前記キーモジュール（100）の受容部（130）内で摺動する、少なくとも１つの摺動部（262）を備え、前記キーリフタ（140）の脱型のための、該キーリフタ（140）の脱型隆起部は、前記少なくとも１つの摺動部（262）の外側に配置されることを特徴とするキーリフタ（140）。
【請求項２】
前記ガイド部（160）は、少なくとも１つの面取りされた縁部（266）を備え、該縁部（266）は、前記少なくとも１つの摺動部（262）の領域に配置されることを特徴とする、請求項１に記載のキーリフタ（140）。
【請求項３】
前記ガイド部（160）は、少なくとも、前記少なくとも１つの摺動部（262）において、表面の粗さを最小化するために表面処理を施されることを特徴とする、請求項１または２に記載のキーリフタ（140）。
【請求項４】
少なくとも前記ガイド部（160）は、摩擦を最小化するプラスチック材料、または摩擦を最小化する添加物を含むプラスチック材料から形成されることを特徴とする、請求項１〜３の何れか一項に記載のキーリフタ（140）。
【請求項５】
前記少なくとも１つの摺動部（262）は、前記キーリフタ（140）の作動軸に沿って、前記ガイド部（160）の寸法の少なくとも３分の２を介して延在することを特徴とする、請求項１〜４の何れか一項に記載のキーリフタ（140）。
【請求項６】
キーボードのキー用キーモジュール（100）であって、キーリフタ（140）を受容する受容部（130）を有するモジュールハウジングを備えるキーモジュール（100）において、前記キーモジュール（100）は、請求項１〜５の何れか一項に記載のキーリフタ（140）を備え、前記キーリフタ（140）のガイド部（160）は、前記キーモジュール（100）の受容部（130）内に受容可能、または受容されることを特徴とするキーモジュール（100）。
【請求項７】
請求項６に記載のキーモジュール（100）であって、前記キーリフタ（140）の作動軸に沿った、前記少なくとも１つの摺動部（262）の寸法、および作動軸に沿った、前記受容部（130）の寸法を互いに調整することで、前記キーリフタ（140）の作動時に、休止位置と作動位置の間で、前記キーリフタ（140）の少なくとも１つの摺動部（262）の大部分が、モジュールハウジングに対し、該モジュールハウジングの前記受容部（130）の内部に配置されることを特徴とするキーモジュール（100）。
【請求項８】
キーボードのキー用キーモジュール（100）の製造方法（400）であって、
請求項１〜５の何れか一項に記載のキーリフタ（140）と、該キーリフタ（140）を受容する受容部（130）を備えるモジュールハウジングと、を準備するステップと（410）と、
前記キーリフタ（140）のガイド部（160）を、前記モジュールハウジングの受容部（130）内に配置するステップ（420）であって、前記キーリフタ（140）の作動時に、前記キーリフタ（140）のガイド部（160）の、前記少なくとも１つの摺動部（262）を、前記モジュールハウジングの受容部（130）内で摺動させるステップと、を含む方法。
【請求項９】
前記キーリフタ（140）を準備するステップ（410）において、少なくとも、前記ガイド部（160）の少なくとも１つの摺動部（262）において、表面の粗さを最小化するための表面処理を施すことを特徴とする、請求項８に記載の方法（400）。
【請求項１０】
前記準備するステップ（410）において、前記キーリフタ（140）の少なくともガイド部（160）を、摩擦を最小化するプラスチック材料、または摩擦を最小化する添加物を含むプラスチック材料から形成することを特徴とする、請求項８または９に記載の方法（400）。
【発明の詳細な説明】
【技術分野】
【０００１】
本発明は、キーボードのキー用キーモジュールのためのキーリフタ、キーボードのキー用キーモジュール、およびキーボードのキー用キーモジュールの製造方法に関する。
【背景技術】
【０００２】
例えばコンピュータ等のためのキーボードには、通常ソケット、接点素子、コンタクト等を備えたプッシュボタンスイッチが、個々のキー用に使用される。プッシュボタンスイッチの例は、ドイツ特許第3713775C2号明細書が開示しており、特にMXモジュールのプッシュポイントの調整について開示する。
【先行技術文献】
【特許文献】
【０００３】
【特許文献１】ドイツ特許第3713775C2号明細書
【発明の概要】
【発明が解決しようとする課題】
【０００４】
こうした背景に鑑み本発明の課題は、独立請求項に従い、キーボードのキー用キーモジュールのためのキーリフタを改良すること、キーボードのキー用キーモジュールを改良すること、およびキーボードのキー用キーモジュールの製造方法を改良することである。有利な実施形態は、従属請求項及び以下の記述から明らかとなる。
【課題を解決するための手段】
【０００５】
本発明の実施形態に従い、キーボードのキー用キーモジュールのためのキーリフタは、キーモジュール内で摺動する摺動面に脱型隆起部がないよう、特に構成可能である。特にMXモジュールであるキーモジュールを、特に有利なキーリフタ、または摺動特性が改良されたキーリフタを備えて提供可能である。キーリフタは、例えば特に滑らかな摺動面、または表面の粗さを最小化した摺動面を備えることが可能である。従って、特にMXモジュールであるキーモジュールに、改良された摺動特性に対して特に調整されたキーリフタを備え、提供可能である。
【０００６】
有利には、本発明の実施形態に従い、表面の粗さが低減された摺動面を備える、そうしたキーリフタを使用し、特に作動時の摩擦が低減されたキーモジュールを提供可能である。この場合、キーリフタが改良され、摩擦が低減された摺動面を備えるために、キーの作動時およびリターン時に使用者に良好な操作感を与え、作動スピードを高めることができる。特に有利には、キーリフタの摺動面またはガイド面の領域に脱型隆起部がないため、スクラッチ感および引っかかり感といった操作感を回避可能である。
【０００７】
この場合キーリフタを除き、依然としてキーモジュール用の標準的な部品を使用可能である。キーリフタは、例えば標準的なMXモジュールに取り付け可能である。この場合都合の良いことに、キーリフタの、特にガイド部または摺動部のみを変更するだけであり、キーモジュールの他の構成部品は標準的な部品とすることが可能である。従って、キーリフタにわずかな変更を加えるのみで、キーモジュールの既存モデルを使用できる。従って、標準的なモジュール組み立て、特に標準的なMXモジュール組み立て、例えば回路基板組み立てまたはフレーム組立を実行可能である。さらに、製造設備、または特にMXの自動製造設備においても、キーリフタ供給時に必要に応じてわずかな変更を実行するだけで、改良されたキーリフタを備えるキーモジュールが製造可能である。例えばMXモジュールであるキーモジュールの更なる標準的な特徴は、有利にも変化せず、そのままの状態である。
【０００８】
さらにキーリフタは、キーモジュールのモジュールハウジングの受容部内に正確に適合し、摺動可能な状態で受容可能であるか、または受容される。従って、有利にも公差が低減され、作動時のガイド部の遊びが低減される。キーリフタと受容部の間、ならびにスイッチポイントに対する公差が最小化されることでスイッチの精度が高まり、スイッチ経路が低減され、スイッチポイントへ迅速に到達可能となり、全変位が短縮され、リターンスイッチが迅速化され、ならびにキーの傾斜傾向および回転傾向が最小化される。さらにキーリフタは、作動軸に沿い適切な長手方向寸法で形成可能であるため、全変位が短縮され、迅速なリターンスイッチが達成される。そうしたキーリフタにより、使用者に対してキーの操作感が改良され、ならびに、キーの作動時により早くスイッチポイントへ到達可能であり、および全変位が低減されることになる。
【０００９】
特に有利な、キーボードのキー用キーモジュールのためのキーリフタであって、キーのキーボタンを連結する連結部と、キーリフタの作動時に、キーリフタをキーモジュールの受容部内で導くガイド部と、を備えるキーリフタにおいて、ガイド部は、キーリフタの作動時にキーモジュールの受容部内で摺動する、少なくとも１つの摺動部を備え、キーリフタの脱型のための、キーリフタの脱型隆起部は、少なくとも１つの摺動部の外側に配置されることを特徴とする。
【００１０】
キーボードは、少なくとも１つのキーを装備可能であり、キー毎にキーモジュールが備わる。キーはキーモジュールを装備可能であり、またはキーモジュールにより構成可能である。キーモジュールは、例えばいわゆるMXモジュール、またはそれと類似したものとすることができる。キーボードに前述のキーモジュールを使用または取り付けることで、キーの作動時の、キーリフタと受容部の間の摩擦を最小化できる。キーボタンは、操作者にとり可視であり、および押し下げにより操作可能な、キーモジュールの部分とすることができる。キーリフタの連結部は、キーボタンと機械的に連結可能である。キーモジュールが組立てられた状態で、キーリフタのガイド部は、少なくとも部分的に、キーモジュールの受容部内でキーリフタの作動軸または長手方向軸に沿って可動な状態で受容可能である。ガイド部は、作動時に受容部内のキーリフタを公差域内部の直線運動に導くよう構成可能である。少なくとも１つの摺動部は、実質的にはキーリフタの平坦な表面として、ガイド部に装備可能である。この場合、少なくとも１つの摺動部は、キーモジュールの受容部の表面に触れ、および受容部に沿って摺動して移動可能であるよう構成できる。
【００１１】
実施形態に従い、ガイド部は少なくとも１つの面取りされた縁部を備える。縁部は、少なくとも１つの摺動部の領域に配置される。そうした実施形態には、キーリフタにおいて、このように縁部を面取りすることにより、キーモジュールの作動経路の摺動特性が改良されるという利点がある。
【００１２】
ガイド部は、少なくとも、少なくとも１つの摺動部において、表面の粗さを最小化するために表面処理を施されることが可能である。この場合、ガイド部の少なくとも１つの表面は、少なくとも、少なくとも１つの摺動部が磨かれるか、またはそれと類似した処理をされることが可能である。特にガイド部は、少なくとも一部に、表面仕上げされたプラスチック材料を備えることが可能であり、例えば、専らまたは実質的に、表面処理されたポリオキシメチレン（POM）製とすることが可能である。そうした実施形態には、キーリフタにおいて、キーモジュールに対する摺動特性が改良され、および表面の粗さが低減可能であるという利点がある。さらにこの利点は、特に、ガイド部に使用されている材料に実質的に左右されることなく達成可能である。さらに、例えばキーリフタまたはキーリフタのガイド部に使用された標準的な材料に対して、その後に表面処理を施すことが可能である。
【００１３】
さらに、少なくともガイド部は、摩擦を最小化するプラスチック材料、または摩擦を最小化する添加物を含むプラスチック材料から形成可能である。この場合、摩擦を最小化するプラスチック材料または摩擦を最小化する添加物を含むプラスチック材料は、特に表面の粗さが少ないものとする。添加物は摺動特性を改良すべく作用可能であり、特に油または油脂を含まないものとすることが可能である。そうした実施形態には、摺動特性およびガイド部の表面の粗さを改良したキーリフタを実現可能であるという利点がある。この場合有利にも、摩擦を最小化するガイド部の特性を、すでに材料の側から考慮可能となる。
【００１４】
特に、少なくとも１つの摺動部は、キーリフタの作動軸に沿って、ガイド部の寸法の少なくとも３分の２を介して延在可能である。そうした実施形態には、少なくとも１つのガイド部の長手方向寸法をこのようにすることで、ガイド部のガイドの精度を高めることが可能であり、およびキーモジュールの受容部内のキーリフタに対して、ガイド時の遊びを僅かにできるという利点がある。
【００１５】
特に有利な、キーボードのキー用キーモジュールであって、キーリフタを受容する受容部を有するモジュールハウジングを備えるキーモジュールにおいて、キーモジュールは、前述のキーリフタの実施形態を備え、キーリフタのガイド部は、キーモジュールの受容部内に受容可能、または受容されることを特徴とする。
【００１６】
キーモジュールと組み合わせて、キーモジュールにおいてキーリフタの摺動特性の改良に作用するよう、前述の種類のキーリフタ、または前述の種類の変形のキーリフタを、有利にも適用または使用可能である。
【００１７】
実施形態に従い、キーリフタの作動軸に沿った、少なくとも１つの摺動部の寸法、および作動軸に沿った、受容部の寸法を互いに調整することで、キーリフタの作動時に、休止位置と作動位置の間で、キーリフタの少なくとも１つの摺動部の大部分が、モジュールハウジングに対し、モジュールハウジングの受容部の内部に配置される。この場合、少なくとも１つの摺動部は、摺動部の寸法の少なくとも半分に沿って作動時に受容部に接するよう、作動軸に対して配置可能である。キーリフタ、キーモジュールまたはキーの休止位置は、キーが負荷を受けていない、または押し下げられていない状態とすることができる。キーリフタ、キーモジュールまたはキーの作動位置は、キーが負荷を受けている、または押し下げられている状態とすることができる。そうした実施形態には、キーリフタの作動時にガイドの精度を高め、ならびにキーモジュールの受容部内のキーリフタに対して、ガイド時の遊びを僅かにすることが可能であるという利点がある。
【００１８】
特に有利な、キーボードのキー用キーモジュールの製造方法は、
前述のキーリフタの実施形態と、キーリフタを受容する受容部を備えるモジュールハウジングと、を準備するステップと、
キーリフタのガイド部を、モジュールハウジングの受容部内に配置するステップであって、キーリフタの作動時に、キーリフタのガイド部の、少なくとも１つの摺動部を、モジュールハウジングの受容部内で摺動させるステップと、を含む。
【００１９】
製造方法は、前述の種類のキーリフタまたはキーモジュール、または前述の種類の変形のキーリフタまたはキーモジュールと関連させて、有利にも実行可能である。製造方法を実行することで、前述の種類のキーモジュール、または前述の種類の変形のキーモジュールを、有利にもキーモジュールにおいてキーリフタの摺動特性を改良し、製造可能である。
【００２０】
実施形態に従い、キーリフタを準備するステップにおいて、少なくとも、ガイド部の少なくとも１つの摺動部において、表面の粗さを最小化するための表面処理を施すことが可能である。特にこの場合、少なくとも、少なくとも１つの摺動部が磨かれるか、または他の表面仕上げを施すことが可能である。そうした実施形態には、このように表面処理されたガイド部を有するキーリフタは、キーリフタの作動の観点で、特に良好な摺動特性を備えるという利点がある。そうした表面処理により、例えば通常使用される材料製のキーリフタの摺動特性を改良するという、有利な可能性が提供される。
【００２１】
準備するステップにおいて、キーリフタの少なくともガイド部を、摩擦を最小化するプラスチック材料、または摩擦を最小化する添加物を含むプラスチック材料から形成可能でもある。この場合、摩擦を最小化するプラスチック材料、または摩擦を最小化する添加物を含むプラスチック材料は、摩擦が最小化された特性を有する摺動表面を形成する目的に適するよう選択されるか、または選択可能である。そうした実施形態には、材料を適切に選択することにより、キーリフタの作動の観点で、キーリフタが特に良好な摺動特性を備えるという利点がある。この場合さらに有利には、仕上げの労力を最小化するために、少なくとも１つの摺動部において連続する表面処理を省略可能であり、または、さらに摺動特性を改良するために、少なくとも１つの摺動部において追加的な表面処理を実行可能である。
【００２２】
本発明は、添付の図面を参照して、以下に例示的に詳説される。
【図面の簡単な説明】
【００２３】
【図１】キーモジュールを示す図である。
【図２Ａ】本発明の実施形態によるキーリフタを示す図である。
【図２Ｂ】本発明の実施形態によるキーリフタを示す図である。
【図３Ａ】本発明の実施形態によるキーモジュールを示す図である。
【図３Ｂ】本発明の実施形態によるキーモジュールを示す図である。
【図４】本発明の実施形態に従う製造方法のフローチャートである。
【発明を実施するための形態】
【００２４】
本発明の好適な実施形態に関する以下の記載において，種々の図面に記された類似の作用を有する素子に関しては同一又は類似の符号を使用し，これら素子を繰り返して記載することを控えている。
【００２５】
図１は、キーモジュール100の斜視図である。キーモジュール100は、モジュールソケット110、モジュールキャップ120および受容部130を有するモジュールハウジング105、ならびに、連結部150およびガイド部160を有するキーリフタ140を備える。キーモジュール100は、例えばキーボード用キーの一部である。キーモジュール100は、例えば図３Ａおよび３Ｂに示し、記載されたキーモジュールであるか、またはそれと類似のキーモジュールである。キーリフタ140は、例えば図２Ａおよび２Ｂに示し、記載されたキーリフタであるか、またはそれと類似のキーリフタである。
【００２６】
モジュールソケット110およびモジュールキャップ120は、互いに連結されている。この場合モジュールソケット110とモジュールキャップ120は、キーモジュール100のモジュールハウジング105を構成する。キーモジュール100の受容部130は、キーモジュール100のモジュールハウジング105の少なくとも一部を介してモジュールキャップ120から延在する、シャフトとして形成されている。
【００２７】
キーリフタ140は、部分的に受容部130内に受容される。この場合、キーリフタ140の連結部150は、少なくとも部分的に、キーモジュール100のモジュールハウジング105の外側に配置される。連結部150は、キーボタンを連結可能であるよう構成される。キーリフタ140のガイド部160は、この場合少なくとも部分的に、キーモジュール100の受容部130内に受容される。
【００２８】
作動時、キーリフタ140は、モジュールソケット110およびモジュールキャップ120から構成された、キーモジュール100のモジュールハウジングに105に対して可動である。図１では明確に認めることができないが、キーリフタ140の作動軸が延在し、その作動軸およびキーモジュール100の受容部130の長手方向軸に沿って、作動時にキーリフタ140が可動である。
【００２９】
図２Ａは、本発明の一実施形態に従う、キーボードのキー用キーモジュールのためのキーリフタ140の斜視図である。キーリフタ140は、連結部150、ガイド部160、ならびに複数の摺動部262または摺動面またはガイド面を備える。図２Ａでは、典型的であり、また図の状態により、これらのうちの４つの摺動部262を示す。キーリフタ140は、例えば図１のキーモジュールのキーリフタである。
【００３０】
キーリフタ140は矩形の基底面または基底レベルを備える。そこから、連結部150が第１方向に延在し、およびガイド部160が、第１方向と対向する第２方向へ延在する。連結部150は十字型の外形を備え、基底面から第１方向に突出する。ガイド部160は、４枚の側壁からなる槽状で、第２方向へ突出する外側部分と、シリンダ状で第２方向へ突出し、少なくとも部分的に外側部分に包囲された内側部分と、を備える。内側部分は、図２Ａでは外側部分に隠されているが、図２Ｂに認めることができる。
【００３１】
摺動部262は、ガイド部160の外側部分に配置される。摺動部262は、図２Ａに示す本発明の実施形態に従い、磨かれたガイド面として形成される。この場合摺動部262は、キーリフタ140の作動時に、キーリフタとキーモジュールの間で、滑らかで摩擦が最小とされた相対運動が可能であるよう構成される。ガイド部160は、連結部150へと向き、および基底面に隣接する、第１端部領域を備える。ガイド部160は、連結部150から基底面の反対へと向いた、第２端部領域をも備える。摺動部262は、ガイド部160の第１端部領域から、キーリフタ140の外側に沿い、ガイド部160の第２端部領域へと延在する。例えば、この場合摺動部262は、ガイド部160の寸法の少なくとも３分の２を介して、第１端部領域と第２端部領域の間で延在する。
【００３２】
図２Ｂは、図２Ａのキーリフタ140の異なる斜視図である。この場合、キーリフタ140の、連結部150、ガイド部160、シリンダ状で突出する、少なくとも部分的に外側部分に包囲されたガイド部160の内側部分が示され、内側部分はピン264ならびに面取りされた縁部266の形状である。
【００３３】
ピン264は、例えばガイド部160の更なる摺動部となる。面取りされた縁部266は、ガイド部160の外側部分において、摺動部の領域で、特にガイド部160の少なくとも第２端部領域に配置される。さらに、ピン264はガイド部160の第２端部領域に、面取りされた縁部266を備える。
【００３４】
図２Ａおよび２Ｂに見て取れるように、キーリフタ140またはキーリフタ140のガイド部160は、摺動部262の領域に脱型隆起部がない。
【００３５】
図３Ａは、本発明の一実施形態に従うキーモジュール100の一部分の、斜視的な上面図である。キーモジュール100は、例えばキーボード用キーの一部である。図３Ａは、キーモジュール100の、モジュールキャップ120および受容部130を有するモジュールハウジング105、ガイド部分332、ならびに連結部150およびガイド部160を有するキーリフタ140を示す。モジュールハウジング105は、図１のモジュールハウジング105であるか、またはそれと類似のモジュールハウジングである。キーリフタ140は、図２Ａまたは図２Ｂのキーリフタである。
【００３６】
キーモジュール100の受容部130は、キーモジュール100のモジュールハウジング105の少なくとも一部を介してモジュールキャップ120から延在する、シャフトとして形成される。図３Ａにおいては図の状態により示されていないが、モジュールハウジング105のモジュールキャップ120は、例えばモジュールソケットと連結される。
【００３７】
キーリフタ140は、部分的に受容部130内に受容される。この場合、キーリフタ140の連結部150は、少なくとも部分的に、キーモジュール100のモジュールハウジング105の外側に配置される。連結部150は、キーボタンが連結可能であるよう構成される。キーリフタ140のガイド部160は、この場合少なくとも部分的に、キーモジュール100の受容部130内に受容される。
【００３８】
作動時、キーリフタ140はキーモジュール100のモジュールハウジング105に対して可動である。図３Ａでは明確に認めることができないが、キーリフタ140の作動軸が延在し、その作動軸およびキーモジュール100の受容部130の長手方向軸に沿って、作動時にキーリフタ140が可動である。
【００３９】
図３Ａに示す本発明の実施形態に従い、受容部130内に複数のガイド部分332が配置される。図３Ａにおいては、単に例示的にそのうちの４つが示される。この場合、ガイド部分は突起部として形成される。ガイド部分332は、受容部130内に配置されたキーリフタ140において、典型的には、キーリフタ140のガイド部160の外側部分の、摺動部の領域に配置される。この場合、キーリフタ140のガイド部160の摺動部は、ガイド部分332に接して配置される。
【００４０】
図３Ｂは、図３Ａのキーモジュール100において、モジュールソケットを取り去った状態の、斜視的な下面図である。図３Ｂにおいては、キーモジュール100の、モジュールハウジングのモジュールキャップ120、受容部130および摺動部262、ならびにキーリフタのピン264を示す。この場合摺動部262は、キーリフタのガイド部160の第１端部領域から、例えばキーリフタのガイド部の第２端部領域にまで延在する。
【００４１】
図４は、本発明の実施形態に従うキーボードのキー用キーモジュールの、製造方法400のフローチャートである。製造方法400は、キーリフタと、キーリフタを受容する受容部を備えるモジュールハウジングと、を準備するステップ410を含む。キーリフタは、図２Ａ乃至図３Ｂのうちの１つの図によるキーリフタの、１つのようなキーリフタである。製造方法400は、キーリフタのガイド部を、モジュールハウジングの受容部内に配置するステップ420をも含み、キーリフタの作動時に、キーリフタのガイド部の、少なくとも１つの摺動部が、モジュールハウジングの受容部内で摺動する。製造方法400を実行することにより、図３Ａおよび図３Ｂの１つの図によるキーモジュールの、１つのようなキーモジュールを製造可能である。
【００４２】
実施形態に従い、キーリフタを準備するステップ410で、少なくとも、ガイド部の少なくとも１つの摺動部において表面の粗さを最小化するための表面処理が施される。実施形態に従い、準備するステップ410において、キーリフタの少なくともガイド部は、摩擦を最小化するプラスチック材料、または摩擦を最小化する添加物を含むプラスチック材料から形成される。
【００４３】
上述され、図示された実施形態は例示的にのみ選択されている。異なる実施形態を、全体として又は個々の特徴に関して組み合わせ可能である。実施形態はまた，更なる実施形態の特徴により補完可能である。上述のステップは、繰り返して実行可能である。
【符号の説明】
【００４４】
100キーモジュール
105モジュールハウジング
110モジュールソケット
120モジュールキャップ
130受容部
140キーリフタ
150連結部
160ガイド部
262摺動部またはガイド面または摺動面
264ピン
266面取りされた縁部
332ガイド部分
400製造方法
410準備するステップ
420配置するステップ
【図１】
2016520242.tif 000003
【図２Ａ】
2016520242.tif 000004
【図２Ｂ】
2016520242.tif 000005
【図３Ａ】
2016520242.tif 000006
【図３Ｂ】
2016520242.tif 000007
【図４】
2016520242.tif 000008
【国際調査報告】
2016520242.tif 000009
2016520242.tif 000010
2016520242.tif 000011
2016520242.tif 000012